(57)【要約】【課題】浴室の洗い場領域３において、目皿２０の寸法を変更することなく床の仕上材２１の厚み変更に迅速に対処できるようにする。【解決手段】防水パン１０の洗い場３に形成した排水用凹部１８を目皿２０で被う目皿付き排水構造であり、目皿２０を着脱自在に支持する目皿支持具１９を、排水用凹部１８へ高さ位置調整可能に挿入して固定し、洗い場３の目皿支持具１９を除く部分に仕上材２１を敷設したこと。排水用凹部１８は、その底部に排水口１８ｃを開設し、目皿支持具１９は、目皿２０が着脱する上面側を開口して、その内側を側板１９ａ及び底板１９ｂで囲んだ箱状に形成し、底板１９ｂから垂設した排水管１９ｃを排水口１９ｃへ接合した。【効果】仕上材２１の厚み変更に対して、目皿２０の寸法を変更することなく迅速に対処でき、排水用凹部１８が露出しないために見栄えがよく、また、排水用凹部１８の内面を排水で汚さないために清掃性の向上が図れる。【選択図】図３
2005213974.tif 000002
【特許請求の範囲】
【請求項１】
防水パンの洗い場に形成した排水用凹部を目皿で被う目皿付き排水構造において、前記目皿を着脱自在に支持する目皿支持具を、前記排水用凹部へ高さ位置調整可能に挿入して固定し、前記洗い場の目皿支持具を除く部分に仕上材を敷設したことを特徴とする目皿付き排水構造。
【請求項２】
前記排水用凹部は、その底面に排水口を開設し、前記目皿支持具は、その内側を側板及び底板で囲んで、前記目皿が着脱する上面側を開口した箱状に形成し、該底板から垂設した排水管を前記排水口へ接合した請求項１記載の目皿付き排水構造。
【請求項３】
前記排水用凹部は、前記洗い場の内隅部に、該内隅部の両辺に沿って延びる平面Ｌ字状に形成し、前記目皿支持具が挿入されていない部分を仕上材で覆った請求項１又は２記載の目皿付き排水構造。
【請求項４】
前記排水用凹部は、前記洗い場の一辺と該一辺の両側に繋がる両辺に、これら三辺に沿って延びる平面コ字状に形成し、前記目皿支持具が挿入されていない部分を仕上材で覆った請求項１又は２記載の目皿付き排水構造。
【請求項５】
前記排水用凹部は、前記洗い場の一辺と該一辺の両側に繋がる両辺に、これら三辺に沿って延びる平面コ字状に形成し、該一辺に形成した底面について、該一辺の二等分位置を最も高くすると共に、該両辺に繋がる隅部へ向かって排水勾配を形成し、該両辺に形成した各底面について、該一辺に繋がる隅部へ向かって排水勾配を形成し、前記一辺と前記両辺に繋がる各隅部の底面に開口部を形成し、いずれか一方の開口部を前記排水口とし、前記目皿支持具が挿入されていない部分に前記仕上材を敷設した請求項２記載の目皿付き排水構造。
【請求項６】
前記排水用凹部及び前記目皿支持具の対峙する面部の間に接着剤層を設け、両者を該接着剤層で接合した請求項１乃至請求項５のずれかに記載の目皿付き排水構造。
【請求項７】
前記目皿支持具に設けたネジに、上下方向へ螺進自在な支持脚を螺合し、該支持脚の下端を前記排水用凹部に当接した請求項１乃至請求項５のずれかに記載の目皿付き排水構造。
【請求項８】
前記目皿支持具は、前記排水用凹部に固定した下部に、前記目皿を支持する上部を上下移動可能に連結した請求項１乃至請求項５のずれかに記載の目皿付き排水構造。
【請求項９】
前記目皿支持具は、前記排水用凹部に固定した下部と前記目皿を支持する上部とを、蛇腹部で上下伸縮可能に連結した請求項１乃至請求項５のずれかに記載の目皿付き排水構造。
【発明の詳細な説明】
【技術分野】
【０００１】
本発明は、防水パンの洗い場に備えた目皿付き排水構造に関するものである。
【背景技術】
【０００２】
従来、防水パンの洗い場に備えた目皿付き排水構造には、仕上材を敷設する洗い場の縁に沿って設けた排水用凹部と、該排水用凹部の開口縁に形成した載置用段部に載置した目皿を備えたものがある。（特許文献１）
【特許文献１】特開平１１−３３６１５１号公報
【発明の開示】
【発明が解決しようとする課題】
【０００３】
しかし、前記特許文献１に記載の目皿付き排水構造は、防水パンに形成した目皿載置用段部の高さ位置が、目皿の表面及び仕上材の表面が面一となるように決まっており、目皿として標準のものを用いるよにしている。
そのため、厚みの異なる仕上材を敷設する仕様変更があるときには、標準の目皿の表面と仕上材の表面との段違いが躓きの原因となって危険であるため、別途、高さの異なる標準外の目皿を準備する必要がある。
しかし、厚みの異なる仕様変更毎に標準外の目皿を製作するのでは、仕様変更に迅速に対処できない。
【０００４】
本発明は、上記問題を解決するたに、目皿の寸法を変更することなく仕上材の厚み変更に迅速に対処できる目皿付き排水構造を提供するものである。
【課題を解決するための手段】
【０００５】
目皿の寸法を変更することなく仕上材の厚み変更に迅速に対処できるようにするために請求項１記載の本発明が採用した手段は、防水パンの洗い場に形成した排水用凹部を目皿で被う目皿付き排水構造において、前記目皿を着脱自在に支持する目皿支持具を、前記排水用凹部へ高さ位置調整可能に挿入して固定し、前記洗い場の目皿支持具を除く部分に仕上材を敷設したことを特徴とする目皿付き排水構造である。
本発明にあっては、調整した高さ位置に目皿支持具を固定して、仕上材及び目皿の両表面を面一にできるので、仕上材の厚み変更に対して目皿の寸法を変更することなく対処できる。
【０００６】
見栄え及び清掃性の向上を図るために請求項２記載の本発明が採用した手段は、前記排水用凹部は、その底部に排水口を開設し、前記目皿支持具は、前記目皿が着脱する上面側を開口して、その内側を側板及び底板で囲んだ箱状に形成し、該底板から垂設した排水管を前記排水用凹部の排水口へ接合した請求項１記載の目皿付き排水構造である。
本発明にあっては、防水パンに形成した排水用凹部を箱状の目皿支持具で覆うため、目皿を離脱しても排水用凹部が露出することはなく、また、目皿を通過した排水が目皿支持具の内側面に案内されて排水管から排水用凹部の排水口へ排出されるため、排水用凹部の内面に排水を接触させることもない。
【０００７】
防水パンの洗い場の内隅部の両辺のいずれか一辺に洗い場の出入口を設ける仕様に簡単に対処できるようにするために請求項３記載の本発明が採用した手段は、前記排水用凹部は、前記洗い場の内隅部に、該内隅部の両辺に沿って延びる平面Ｌ字状に形成し、前記目皿支持具が挿入されていない部分を仕上材で覆った請求項１又は２記載の目皿付き排水構造である。
本発明にあっては、洗い場の出入口の位置に応じて、目皿支持具を設ける位置を選択できる。
【０００８】
防水パンの洗い場の両隅部に繋がる三辺のいずれか一辺に洗い場の出入口を設ける仕様に簡単に対処できるようにするために請求項４記載の本発明が採用した手段は、前記排水用凹部は、前記洗い場の一辺と該一辺の両側に繋がる両辺に、これら三辺に沿って延びる平面コ字状に形成し、前記目皿支持具が挿入されていない部分を仕上材で覆った請求項１又は２記載の目皿付き排水構造である。
本発明にあっては、洗い場の出入口の位置に応じて、目皿支持具を設ける位置を選択できる。
【０００９】
防水パンの洗い場の両隅部に繋がる三辺のいずれか一辺に洗い場の出入口を設ける仕様に簡単に対処できると共に、排水用凹部に形成する排水口用の開口部の個数を少なくするために請求項５記載の本発明が採用した手段は、前記排水用凹部は、前記洗い場の一辺と該一辺の両側に繋がる両辺に、これら三辺に沿って延びる平面コ字状に形成し、該一辺に形成した底面について、該一辺の二等分位置を最も高くすると共に、該両辺に繋がる隅部へ向かって排水勾配を形成し、該両辺に形成した各底面について、該一辺に繋がる隅部へ向かって排水勾配を形成し、前記一辺と前記両辺に繋がる各隅部の底面に開口部を形成し、いずれか一方の開口部を前記排水口とし、前記目皿支持具が挿入されていない部分に前記仕上材を敷設した請求項２記載の目皿付き排水構造である。
本発明にあっては、洗い場の出入口の位置に応じて、目皿支持具を設ける位置を選択できると共に、排水用凹部の底面に形成する排水口用の開口部の個数を二個とすることができる。
【００１０】
目皿支持具の高さ位置調整を簡単にできるようにするために請求項６記載の本発明が採用した手段は、前記排水用凹部及び前記目皿支持具の対峙する面部の間に接着剤層を設け、両者を該接着剤層で接合した請求項１乃至請求項５のずれかに記載の目皿付き排水構造である。
本発明にあっては、接着剤が硬化する前に、目皿支持具を押し込んで接着剤層の厚みを調整することで、目皿支持具の高さ位置を調整できる。
【００１１】
目皿支持具の高さ位置調整を簡単にできるようにするために請求項７記載の本発明が採用した手段は、前記目皿支持具に設けたネジに、上下方向へ螺進自在な支持脚を螺合し、該支持脚の下端を前記排水用凹部に当接した請求項１乃至請求項５のずれかに記載の目皿付き排水構造である。
本発明にあっては、支持脚を螺進して雌ネジから支持脚下端までの高寸法を調節することで、目皿支持具の高さ位置を調整できる。
【００１２】
目皿支持具の高さ位置調整を簡単にできるようにするために請求項８記載の本発明が採用した手段は、前記目皿支持具は、前記排水用凹部に固定した下部に、前記目皿を支持する上部を上下移動可能に連結した請求項１乃至請求項５のずれかに記載の目皿付き排水構造である。
本発明にあっては、下部に対する上部の連結位置を調節することで目皿支持具の高さ位置を調整できる。
【００１３】
目皿支持具の高さ位置調整を簡単にできるようにするために請求項９記載の本発明が採用した手段は、前記目皿支持具は、前記排水用凹部に固定する下部と前記目皿を支持する上部とを、蛇腹部で上下伸縮可能に連結した請求項１乃至請求項５のずれかに記載の目皿付き排水構造である。
本発明にあっては、蛇腹部で伸縮調節することで、目皿支持具の高さ位置を調整できる。
【発明の効果】
【００１４】
請求項１記載の本発明に係る目皿付き排水構造は、仕上材の厚み変更に対して、目皿の寸法を変更することなく迅速に対処できる。
請求項２記載の本発明に係る目皿付き排水構造は、目皿を離脱しても排水用凹部が露出しないために見栄えがよく、また、排水用凹部の内面が排水で汚れないために清掃性の向上が図れる。
【００１５】
請求項３記載の本発明に係る目皿付き排水構造は、洗い場の出入口の位置に応じて、目皿支持具を設ける位置を選択できるので、防水パンの洗い場の内隅部に繋がる両辺のいずれか一辺に洗い場の出入口を設ける仕様に簡単に対処できる。
請求項４及び請求項５記載の本発明に係る目皿付き排水構造は、洗い場の出入口の位置に応じて、目皿支持具を設ける位置を選択できるので、両隅部に繋がる三辺のいずれか一辺に洗い場の出入口を設ける仕様に簡単に対処できる。
請求項５記載の本発明に係る目皿付き排水構造は、平面コ字状の排水用凹部に形成するときに、排水用凹部の底面に形成する排水口用の開口部の個数を最小限とすることができる。
【００１６】
請求項６記載の本発明に係る目皿付き排水構造は、接着剤が硬化する前に、目皿支持具の高さ位置の調整が簡単にできる。
請求項７記載の本発明に係る目皿付き排水構造は、螺進して支持脚の下端位置を調節することで、目皿支持具の高さ位置の調整が簡単にできる。
【００１７】
請求項８記載の本発明に係る目皿付き排水構造は、下部に対する上部の連結位置を調節することで、目皿支持具の高さ位置の調整が簡単にできる。
請求項９記載の本発明に係る目皿付き排水構造は、蛇腹部を伸縮調節することで、目皿支持具の高さ位置の調整が簡単にできる。
【発明を実施するための最良の形態】
【００１８】
本発明に係る目皿付き排水構造（以下、「本発明排水構造」と言う。）を図面に示す実施形態に基づいて説明する。
【００１９】
図１乃至図７は本発明排水構造の実施の形態を示すものであり、図１は洗い場３に本発明排水構造１３を採用した浴室１及びその周辺を断面して示す平面図、図２（Ａ）は図１のＩＩ−ＩＩ線で断面して中間省略した正面図、同図（Ｂ）は要部の拡大図、図３（Ａ）は図１のＩＩＩ−ＩＩＩ線で断面して中間省略した左側面図、同図（Ｂ）は目皿支持具１９及び目皿２０を示す断面した左側面図、図４は図１のＩＶ−ＩＶ線で断面して中間省略した左側面図、図５は防水パン１０の上面を仕上げ施工する前の状態を示す平面図、図６は防水パン１０に目皿支持具１９を配設する施工手順を示す断面した正面図、図７は本発明排水構造１３を異なる位置（洗い場３の手前左寄り）に設けた別態様を示す平面図である。      
【００２０】
本実施の形態に係る浴室１は、図１に示す如く、後側の浴槽設置領域２と手前側の洗い場領域３が設けられ、左側の隣室４及び手前側のデッキ５が隣接している。浴室１と左側の隣室４の間は、浴槽設置領域２側に設けた仕切壁６及び洗い場領域３側に設けた揺動式扉７（図２参照）で仕切られ、浴室１と手前側のデッキ５の間は、引き戸８で仕切られている。浴室１は、図５に示す如く、浴槽設置領域２の床面を形成する浴槽設置用防水パン９と、洗い場領域３の床面を形成する洗い場形成用防水パン１０を備え、図１に示す如く、浴槽設置用防水パン９に浴槽１１を載設すると共に、洗い場形成用防水パン１０に後述する本発明排水構造１３を施してある。
【００２１】
前記仕切壁６は、図１に示す如く、土台１４又は隣室４の床面４ａに据え置いた架台６ａと、架台６ａに据え置いて天井１５（図２参照）に連結するガラス板や合成樹脂板等からなる仕切板６ｂとで構成してある。前記防水パン９，１０は、ＦＲＰ（繊維強化プラスチック）製やステンレススチール製からなり、両者が一体又は別体に形成されている。両防水パン９，１０の間には、図４に示す如く、エプロン設置用の凹溝１６が設けられ、凹溝１６を利用してエプロン３１を立設してある。図５に示す如く、防水パン９は浴槽排水用の排水口部３４が設けられ、防水パン１０は洗い場主排水用の排水口部３３が設けられている。
【００２２】
前記洗い場領域３と隣室４の境界及びその近辺には、図２に示す如く、出入口１７に配設した揺動式扉７と、洗い場領域３に施した本発明排水構造１３を備え、閉じている揺動式扉７に飛散した洗い湯等の排水を、本発明排水構造１３で受け止めて隣室４へ流出しないようにしてある。本発明排水構造１３は、洗い場形成用防水パン１０に形成した排水用凹部１８へ高さ位置調整可能に挿入固定された目皿支持具１９と、目皿支持具１９に着脱自在に支持された目皿２０と、洗い場領域３の目皿支持具１９を除く部分に施された仕上材２１を備えている。排水用凹部１８及び目皿支持具１９は、出入口１７の前後方向に沿って延設してある（図１及び図３参照）。
【００２３】
前記洗い場形成用防水パン１０の排水用凹部１８は、図５に示す如く、前記隣室４及びデッキ５に隣接する前記洗い場３の内隅部Ｃに、該内隅部Ｃの両辺Ｃａ，Ｃｂに沿って延びる平面Ｌ字状に形成され、両辺Ｃａ，Ｃｂのいずれか一方に出入口１７を設ける仕様（図１の場合はＣａであり、図７場合はＣｂ）に簡単に対処できるようにしてある。排水用凹部１８は、側板１８ａと底板１８ｂで囲まれて上端開口となっており、底板１８ｂのＬ字状中央部１８ｂ−１から両端部１８ｂ−２，１８ｂ−３へ向かって排水勾配を形成し、両端部１８ｂ−２，１８ｂ−３の各々に排水口１８ｃを開設してある。排水口１８ｃは、図２に示す如く、底板１８ｂの底面に当接した配管具２２と、凹部内側から配管具２２に螺着した連結具２３とからなり、底板１８ｂの開口周縁を配管具２２及び連結具２３の両フランジでパッキン２４（同図（Ｂ）参照）を介して水密に挟持してある。平面Ｌ字状に形成された排水用凹部１８は、前記目皿支持具１９が挿入されていない部分について、図４に示す如く、目皿支持具１９を除く部分に施された前記仕上材２１を延長して仕上材２１で覆う。この場合、使用者に踏まれる等して荷重を受けた仕上材２１が撓まないようにするためには、排水用凹部１８を充填材３２で埋めるか、図示は省略したが、排水用凹部１８を蓋材で覆蓋し、充填材３２又は蓋材で仕上材２１を支持するとよい。目皿支持具１９が挿入されていない部分は、排水用凹部１８に充填材３２を埋めたとき、水が溜まらないので衛生上好ましい。なお、排水用凹部１８は、平面Ｌ字状に形成する以外に、図示は省略したが、前記両辺Ｃａ，Ｃｂのいずれか一方の辺に沿って延びるＩ字状に形成し、一方の辺に限定して出入口１７を設ける仕様に対処させることも勿論可能である。
【００２４】
前記目皿支持具１９は、図３に示す如く、四周の側板１９ａ及び底板１９ｂで囲まれて、目皿２０が着脱する上面側を開口した箱状となっており、底板１９ｂの一方から他方へ排水勾配（矢符Ｇ）を形成し、底板１９ｂの低い部分から垂設した排水管１９ｃを、前記排水用凹部１８の排水口１８ｃへ挿入して接合してある。目皿支持具１９は、上端側の開口周縁に段部１９ｄを形成し、段部１９ｄに目皿２０を着脱自在に載置できるようにしある。目皿支持具１９は、防水パン１０の排水用凹部１８へ挿入して固定されると、排水用凹部１８を覆うことになり、目皿２０を離脱しても排水用凹部１８を露出させることもなく見栄えを良くし、また、目皿２０を通過した排水を案内して排水管１９ｃから排水用凹部１８の排水口１８ｃを介して配管具２２へ排出するため、排水用凹部１８の内面に汚れの原因となる排水を接触させることもなく衛生的で清掃をし易くする。
【００２５】
前記洗い場形成用防水パン１０の上面に施される前記仕上材２１は、図２及び図４に示す如く、防水パン１０の上面に移動不能に載設した耐水性のある無機質の仕上板接着用下地板２６と、該下地板２６に接着した複数枚の非透水性で無機質の仕上板２７とからなる。仕上板接着用下地板２６は、仕上板２７を接着する接着剤の接着力を強くするために、接着面が粗面となっているものを選択する。
【００２６】
前記耐水性のある無機質の下地板２６としては、例えば、セメント状心板の平面的に広がる両表面側に補強ガラス繊維のメッシュシートを埋め込んで、両表面側を補強したセメントボード（特許第２６７３９２７号公報参照）が用いられる。このセメントボードからなる下地板２６は、可撓性を有し、折り曲げて弾性変形したとき、板内に透水の原因となる大きな亀裂が生じることはなく、透水の原因とならない微細なクラック（マイクロクラック）が発生するだけである。このセメントボードからなる可撓性の下地板２６は、防水パン１０の排水勾配方向の異なる二面１０ａ，１０ｂ（図５参照）が交わるフラットでない境界部（谷部又は山部）１０ｃを含むようにして、二面１０ａ，１０ｂに跨がって載設するとき、境界部１０ｃで折り曲げ変形させて境界部１０ｃに沿わせることができる。なお、可撓性の下地板２６は、折り曲げ箇所の引っ張り側となるガラスマットに切れ目を入れ変形し易くすることもある。前記セメントボードからなる下地板２６は、適度の保水性を有しているため、接合面積の大きな防水パン１０との接合に、湿気硬化型の接着剤（例えば、硬化後に適度の柔らかさがある変成シリコン系）を用いることが可能となる。
【００２７】
前記下地板２６は、前記耐水性のある無機質のセメントボード以外に、塑性変形可能な板材（例えば、アルミニューム板，合成樹脂板又はステンレススチール板等）を用いることも可能である。塑性変形可能な下地板２６は、図５に示す防水パン１０のフラットでない境界部（谷部又は山部）１０ｃを含むように二面１０ａ，１０ｂに跨がって載設するとき、境界部１０ｃで折り曲げ変形させて境界部１０ｃに沿わせることができる。下地板２６は、仕上板２７を接着する接着剤の接着力を強くするために、ブラスト加工する等して接着面が粗面となっているものを用いるとよい。
【００２８】
前記仕上板２７は、磁器質タイル、せっき質タイル又は非透水性の石板等の非透水性で無機質の板材から選択される。前記下地板２６と仕上板２７の接合は、セメントモルタル、エポキシ系接着剤等の接着剤２８が用いられる。隣接する仕上板２７，２７の間には、目地間隙を形成して、目地材（図示略）を充填することもある。
【００２９】
前記防水パン１０に載設した下地板２６の固定は、下地板２６の施工方法によって異なるが、両者の間を変成シリコン系又はエポキシ系等の接着剤２９で全面又は部分的に接合する場合と、防水パン１０の上面と下地板２６の下面に形成した凹凸部（図示略）を嵌合させると共に必要に応じて嵌合部等を変成シリコン系又はエポキシ系等の接着剤で接合する場合とがある。なお、保水性の有る前記セメントボードからなる下地板２６を選択したときには、下地板２６に保水させ、防水パン１０と下地板２６の間に配した湿気硬化型の接着剤２９を確実に硬化させて、防水パン１０と下地板２６の間の大きな接合面積の領域を確実に接合できる。
【００３０】
本発明排水構造１３を採用する前記洗い場領域３の床施工法としては、図６に示すように防水パン１０に目皿支持具１９を配置した後に仕上材２１を敷設する場合と、逆に、図示は省略したが防水パン１０の上面に仕上材２１を敷設した後に目皿支持具１９を配置する場合とがある。いずれの場合にも、洗い場３へ出入する使用者が躓かないように、目皿支持具１９に載置した目皿２０の表面と、目皿支持具１９の周辺に位置する仕上材２１の表面とが面一となるように、接着剤層２８，２９含む仕上材２１の施工厚みに応じて、目皿支持具１９の高さ調整を現場で行う必要がある。そこで、本発明排水構造１３は、目皿支持具１９の高さ調整として、図６に示す如く、前記防水パン１０の排水用凹部１８及び目皿支持具１９の対峙する面部の間に接着剤層３０を設け、接着剤層３０が硬化する前に、目皿支持具１９を押し込んで接着剤層３０の厚みを調節しつつ、該接着剤層３０を介して両者１８，１９を接合できるようになっている。高さ調整した目皿支持具１９の上端側と敷設した仕上材２１の間の隙間には、目地材３６が充填される。
【００３１】
上述の如く、本発明排水構造１３を採用した場合には、調整した高さ位置に目皿支持具１９を固定して、仕上材２１及び目皿２０の両表面を躓かない程度に面一にできるので、仕上材２１の厚みの仕様変更に対して目皿２０の寸法を変更することなく対処できる。
【００３２】
なお、前記仕上材２１の敷設は、防水パン１０の上面に下地板２６を載設して下地板２６を固定した後に、下地板２６の上面に複数枚の仕上板２７を配列しつつ接着する場合と、下地板２６に複数枚の仕上板２７を接着して仕上げ床パネルを工場等で予め製造しておき、施工現場で防水パン１０の上面に仕上げ床パネルを載設して固定する場合を選択できる。施工面積が広いために複数枚の下地板２６を繋ぎ合わせるときには、隣接する下地板２６，２６に跨がってテープ状のメッシュ材（例えば、ガラスメッシュ）を接着剤で貼着すると共に、メッシュ材に接着剤を塗り込んで平坦に仕上げてメッシュ材の目を埋めて両板の間の隙間を覆い隠す。
【００３３】
図８は本発明排水構造に用いる洗い場形成用防水パンの別態様を示すものであり、（Ａ）は上面に仕上げを施す前の状態を示す平面図、（Ｂ）は（Ａ）のｂ−ｂ線で断面して中間省略した正面図を下半側に示すと共に、上半側に断面して中間省略した目皿支持具の正面図を示している。
【００３４】
本実施の形態に係る洗い場形成用防水パン４０は、浴槽設置領域２に隣接しない両隅部Ｃ，Ｃに繋がる三辺Ｃａ，Ｃｂ，Ｃｃのいずれか一辺に、洗い場領域３の出入口１７（図１及び図５参照）を設ける仕様に対処できるようにするために，排水用凹部４８をこれら三辺Ｃａ，Ｃｂ，Ｃｃに沿って延びる平面コ字状に形成してある。防水パン４０は、平面コ字状の排水用凹部４８に前述の目皿支持具１９を挿入固定できる領域として、排水用凹部４８の辺Ｃａに沿う領域４８ｆ、辺Ｃｂに沿う領域４８ｇ−１，４８ｇ−２及び辺Ｃｃに沿う領域４８ｈの四つの領域の中から選択できる。なお、辺Ｃｂに沿う領域の長さが目皿支持具１９の１個分の寸法しかないときには、三つ領域の中から選択できる。平面コ字状の排水用凹部４８で目皿支持具１９を挿入固定しない領域については、図示は省略したが、前述と同様に、充填材３２を埋めるか、または、蓋材で覆蓋して、仕上材２１で覆う。
【００３５】
前記排水用凹部４８は、前記排水用凹部１８（図３参照）と同様に、側板４８ａと底板４８ｂで囲まれて上端開口となっている。排水用凹部４８は、排水口４８ｃ用の開口部４８ｄの個数を少なくするために、前記一辺Ｃｂに形成した底面（底板４８ｂの上面）の部分が、前記一辺Ｃｂの二等分位置（前記領域４０ｂ−１，４０ｂ−２の境界部分）を最も高くすると共に各隅部Ｃへ向かって排水勾配（矢符Ｅ）を形成し、前記両辺Ｃａ，Ｃｃに形成した各底面（底板４８ｂの上面）の部分が、各隅部Ｃへ向かって排水勾配（矢符Ｆ）を形成し、各隅部Ｃの底面に開口部４８ｄを形成し、いずれか一方の開口部４８ｄを排水口としてある。防水パン４０は、排水用凹部４８の底面に形成する排水口用の開口部４８ｄの個数を二個とすることができる。なお、防水パン４０は、排水用凹部４８の排水口用となる開口部４８ｄの底面側に前述の配管具２２が取着され、排水口用とならない開口部４８ｄの底面側に開口部４８ｄを塞ぐキャップ４２が取着される。
【００３６】
図９は本発明排水構造に用いる目皿支持具の別態様を示すものであり、（Ａ）は本発明排水構造の要部を断面した正面図、（Ｂ）は中間省略した左側面図である。
【００３７】
本実施の形態に係る目皿支持具５９は、排水用凹部１８へ挿入固定するときの高さ位置調整が簡単となるように、高さ調整具５５を備えている。高さ調整具５５は、目皿支持具５９の側板５９ａ又は底板５９ｂに設けたネジ５１に、上下方向へ螺進自在なボルト等からなる支持脚５２を螺合し、支持脚５２の下端を排水用凹部１８に当接させるようにしてある。ネジ５１は、側板５９ａ又は底板５９ｂに取着したブラケット５３に形成してある。調整後の支持脚５２は、ロックナット５４で固定される。目皿支持具５９は、支持脚５２を螺進してネジ５１から支持脚下端５２ａまでの高寸法を調節することで、仕上材２１の上面と目皿２０の上面を面一にするための調整ができる。
【００３８】
図１０及び図１１は本発明排水構造に用いる目皿支持具の別態様を示すものであり、図１０（Ａ）は本発明排水構造の要部を断面した正面図、同図（Ｂ）は中間省略した左側面図、図１１（Ａ）は目皿支持具の連結機構の態様が異なる本発明排水構造の要部を断面した正面図、同図（Ｂ）は中間省略した左側面図である。
【００３９】
本実施の形態に係る目皿支持具６９は、図１０及び図１１に示す如く、排水用凹部１８へ挿入固定するときの高さ位置調整が簡単となるように、前述の排水用凹部１８に接着剤６７等で固定した下部６９ｄに、目皿２０を支持する上部６９ｅを上下移動可能に連結機構６５で連結してある。目皿支持具６９は、下部６９ｄに対する上部６９ｅの連結位置を連結具６５で調節して上部６９ｅの高さ位置を調整することで、仕上材２１の上面と目皿２０の上面を躓かない程度に面一にできる。
【００４０】
前記連結機構６５は、図１０に示す如く、下部６９ｄに上下方向に長い長孔６１を設けると共に、上部６９ｅを貫通するボルト６２を備え、長孔６１へ挿通したボルト６２にナット６３を緊締して、上下部材６９ｅ，６９ｄを強固に連結するように構成してある。ナット６３は、ボルト６２の挿通方向を選択することで、目皿支持具６９の外側又は内側からボルト６２に螺着できる。連結機構６５は、長孔６１の上下寸法だけ、高さ調整ができることになる。連結機構６５は、図示は省略したが、上部６９ｅに上下方向に長い長孔６１を設けると共に、下部６９ｅを貫通するボルト６２を備えて構成することも勿論可能である。
【００４１】
前記連結機構６５の別態様としては、図１１に示す如く、下部６９ｄに複数個の雌ネジ６４を適宜上下間隔をあけて設けると共に、上部６９ｅを貫通するボルト６２を備え、適宜の雌ネジ６４にボルト６２を緊締して、上下部材６９ｅ，６９ｄを強固に連結するように構成してある。連結機構６５は、雌ネジ６４の上下間隔ごとに高さ調整ができることになる。連結機構６５は、図示は省略したが、上部６９ｄに複数個の雌ネジ６４を適宜上下間隔をあけて設けると共に、下部６９ｅを貫通するボルト６２を備えて構成することも勿論可能である
【００４２】
図１２は本発明排水構造に用いる目皿支持具の更に別態様を示すものであり、（Ａ）は本発明排水構造の要部を断面した正面図、（Ｂ）は中間省略した左側面図である。
【００４３】
本実施の形態に係る目皿支持具７９は、排水用凹部１８へ挿入固定するときの高さ位置調整が簡単となるように、排水用凹部１８に接着剤７７等で固定した下部７９ｄと目皿２０を支持する上部７９ｅとを、蛇腹部７９ｆで上下伸縮可能に連結し、蛇腹部７９ｆで伸縮調節して上部７９ｅの高さ位置を調整することで、仕上材２１の上面と目皿２０の上面を面一にするための調整ができる。
【００４４】
前記図１乃至図１２に示す排水用凹部１８及び目皿支持具１９（５９．６９．７９）は、出入口１９に沿うように平面形状が長方形に形成されているが、これに限定するものではなく、平面形状を正方形に形成して、洗い場領域３の主排水用の排水口部３３（図５参照）に本発明排水構造を適用することも勿論可能である。
【図面の簡単な説明】
【００４５】
【図１】本発明排水構造の実施の形態を示すものであり、洗い場領域に本発明排水構造を採用した浴室及びその周辺を断面して示す平面図である。
【図２】（Ａ）は図１のＩＩ−ＩＩ線で断面して中間省略した正面図、同図（Ｂ）は要部の拡大図である。
【図３】図１のＩＩＩ−ＩＩＩ線で断面して中間省略した左側面図、同図（Ｂ）は目皿支持具及び目皿を示す断面した左側面図である。
【図４】図１のＩＶ−ＩＶ線で断面して中間省略した左側面図である。
【図５】同実施の形態において、防水パンの上面を仕上げ施工する前の状態を示す平面図である。
【図６】同実施の形態において、防水パンに目皿支持具を配設する施工手順を示す断面した正面図である。
【図７】同実施の形態において、本発明排水構造を洗い場の手前左寄りに設けた別態様を示す平面図である。
【図８】本発明排水構造に用いる洗い場形成用防水パンの別態様を示すものであり、（Ａ）は上面に仕上げを施す前の状態を示す平面図、（Ｂ）は（Ａ）のｂ−ｂ線で断面して中間省略した正面図を下半側に示すと共に、上半側に断面して中間省略した目皿支持具の正面図を示すものである。
【図９】本発明排水構造に用いる目皿支持具の別態様を示すものであり、（Ａ）は本発明排水構造の要部を断面した正面図、（Ｂ）は中間省略した左側面図である。
【図１０】本発明排水構造に用いる目皿支持具の別態様を示すものであり、（Ａ）は本発明排水構造の要部を断面した正面図、（Ｂ）は中間省略した左側面図である。
【図１１】本発明排水構造に用いる目皿支持具の別態様を示すものであり、（Ａ）は本発明排水構造の要部を断面した正面図、（Ｂ）は中間省略した左側面図である。
【図１２】本発明排水構造に用いる目皿支持具の更に別態様を示すものであり、（Ａ）は本発明排水構造の要部を断面した正面図、（Ｂ）は中間省略した左側面図である。
【符号の説明】
【００４６】
３…洗い場領域、１０…防水パン、１８…排水用凹部、１８ｃ…排水口、１９…目皿支持具、１９ａ…側板、１９ｂ…底板、１９ｃ…排水口、２０…目皿
【図１】
2005213974.tif 000003
【図２】
2005213974.tif 000004
【図３】
2005213974.tif 000005
【図４】
2005213974.tif 000006
【図５】
2005213974.tif 000007
【図６】
2005213974.tif 000008
【図７】
2005213974.tif 000009
【図８】
2005213974.tif 000010
【図９】
2005213974.tif 000011
【図１０】
2005213974.tif 000012
【図１１】
2005213974.tif 000013
【図１２】
2005213974.tif 000014